(57)【要約】【課題】抽選対象者に対してより確実に漏れなく抽選を行うことができる抽選処理方法、抽選処理プログラム及び抽選処理装置を提供する。【解決手段】管理サーバ１１は内部に管理コンピュータ１２を有しており、顧客情報が記録されたポイントカード３１に蓄積されたポイントを基に抽選処理を行う。そして、ポイントカード３１に蓄積されたポイントが第１の所定値に達した顧客を抽選対象者として対象者情報記憶部２３に登録し、登録された対象者から当選者を抽選する。また、ポイントカード３１に蓄積されたポイントから第２の所定値に基づき抽選単位を算出して対象者にチャンスコードを付与し、抽選を行うとき、このチャンスコードに基づき抽選を行う。【選択図】図１
2005000433.tif 000002
【特許請求の範囲】
【請求項１】
コンピュータにて、顧客情報が記録された記録媒体に蓄積されたポイントを基に抽選処理を行う抽選処理方法であって、
前記コンピュータが、
前記記録媒体に蓄積されたポイントが第１の所定値に達した顧客を抽選対象者として記憶装置に登録する対象者登録段階と、
前記登録された対象者から当選者を抽選する抽選段階と
を備えることを特徴とする抽選処理方法。
【請求項２】
前記コンピュータが、前記記録媒体に蓄積されたポイントから第２の所定値に基づき抽選単位を算出して前記抽選対象者にチャンスコードを付与する抽選単位算出段階を更に備え、該チャンスコードに基づき前記抽選段階において抽選を行うことを特徴とする請求項１に記載の抽選処理方法。
【請求項３】
前記コンピュータが、前記記録媒体にポイントを記録する期間は所定期間内とされていることを特徴とする請求項１又は請求項２に記載の抽選処理方法。
【請求項４】
前記コンピュータが、前記抽選段階により抽選された当選者を記憶する当選者記憶段階と、
前記当選者記憶段階にて記憶された当選者と前記抽選段階により抽選された当選者とが一致する場合に、該抽選段階にて抽選された当選者の当選を無効にする無効化段階と
を更に備えることを特徴とする請求項１乃至請求項３のうち何れか１項に記載の抽選処理方法。
【請求項５】
前記コンピュータが、当選者数が予め設定された第３の所定値に達するまで繰り返し抽選処理を行うことを特徴とする請求項１乃至請求項４のうち何れか１項に記載の抽選処理方法。
【請求項６】
前記コンピュータが、前記抽選段階において、前記抽選単位に乱数を発生させ、該抽選単位から任意のデータを抽出することで抽選を行うことを特徴とする請求項１乃至請求項５のうち何れか１項に記載の抽選処理方法。
【請求項７】
前記コンピュータが、前記抽選段階により当選者とされた対象者の告知方法を抽出し、抽出された告知方法により当人確認を行うことで当選者を確定する当選者確定段階を更に備えることを特徴とする請求項１乃至請求項６のうち何れか１項に記載の抽選処理方法。
【請求項８】
前記コンピュータが、前記抽選段階により抽選された対象者を出力する出力段階を更に備えることを特徴とする請求項１乃至請求項７のうち何れか１項に記載の抽選処理方法。
【請求項９】
前記コンピュータが、前記抽選対象者のポイント取得時にレシートに前記チャンスコードの取得の通知を印字する印刷段階を更に備えることを特徴とする請求項２乃至請求項８のうち何れか１項に記載の抽選処理方法。
【請求項１０】
コンピュータにて、顧客情報が記録された記録媒体に蓄積されたポイントを基に抽選処理を行う抽選処理プログラムであって、
前記コンピュータを、
前記記録媒体に蓄積されたポイントが第１の所定値に達した顧客を抽選対象者として記憶装置に登録する対象者登録手段、及び、
前記登録された対象者から当選者を抽選する抽選手段
として機能させることを特徴とする抽選処理プログラム。
【請求項１１】
コンピュータにて、顧客情報が記録された記録媒体に蓄積されたポイントを基に抽選処理を行う抽選処理装置であって、
前記記録媒体に蓄積されたポイントが第１の所定値に達した顧客を抽選対象者として記憶装置に登録する対象者登録手段と、
前記登録された対象者から当選者を抽選する抽選手段と
を備えることを特徴とする抽選処理装置。
【発明の詳細な説明】
【０００１】
【発明の属する技術分野】
本発明は、コンピュータを利用して抽選処理を行う抽選処理装置、抽選処理方法及び抽選処理システムに関するものである。
【０００２】
【従来の技術】
従来、店舗での商品等の販売促進のため、顧客による商品の購買に対してポイントを付与する場合がある。このようなポイントについては、例えば、別の商品を購買する際に現金に代替して使用することができるとするサービスもある。そして、このようなポイントサービスでは、顧客情報及びポイントを、コンピュータで管理する場合もある（例えば、非特許文献１参照）。
【０００３】
このようなポイントサービスでは、顧客は商品の購入の度に購入金額に応じてポイントが加算され、そのポイントによって例えば割引きが受けられるため、顧客の購買意欲を向上させる。従って、ポイントサービスを行うことにより、店舗等の来客数や購入額の増加を促すことができる。また、このポイントサービスでは、顧客が提供した氏名や年齢等の顧客情報を登録し、システム上で管理するため、顧客動向を把握して、的確な販売促進を行うことができる。
【０００４】
【非特許文献１】
特許庁編、“特許・実用新案審査基準  第ＶＩＩ  部  特定技術分野の審査基準  第１章  コンピュータ・ソフトウェア関連発明”４２〜４５頁、［Ｏｎ  ｌｉｎｅ  ］、平成１２年１２月２８日、特許庁、［平成１４年１２月１８日検索］、インターネット＜ＵＲＬ：ｈｔｔｐ：ｗｗｗ．ｊｐｏ．ｇｏ．ｊｐ／ｉｎｆｏ／ｐｄｆ／ｔｔ１２１２−０４５＿７−１．ｐｄｆ＞
【０００５】
【発明が解決しようとする課題】
ところで、上述したポイントカードのサービスの一環として、所定のポイント数を得た顧客に対して、抽選により景品を贈呈するというサービスを行う場合がある。しかし、このようなサービスは、抽選対象者に該当する旨が顧客に通知され、その後顧客が抽選に参加する作業を行う必要があるため、抽選には手間や時間がかかり、抽選対象者であるにも関わらず抽選に参加しない場合や抽選対象者であることを忘れてしまう場合がある。このため、顧客の購買意欲を高めることができず、販売を促進することができなかった。
【０００６】
本発明は上記課題に鑑みなされたものであり、抽選対象者に対してより確実に漏れなく抽選を行うことができる抽選処理方法、抽選処理プログラム及び抽選処理装置を提供することを目的とする。
【０００７】
【課題を解決するための手段】
上記の目的を達成するため、請求項１に記載の発明は、コンピュータにて、顧客情報が記録された記録媒体に蓄積されたポイントを基に抽選処理を行う抽選処理方法であって、前記コンピュータが、前記記録媒体に蓄積されたポイントが第１の所定値に達した顧客を抽選対象者として記憶装置に登録する対象者登録段階と、前記登録された対象者から当選者を抽選する抽選段階とを備えることを特徴とする。
【０００８】
請求項２に記載の発明は、請求項１に記載の抽選処理方法において、前記コンピュータが、前記記録媒体に蓄積されたポイントから第２の所定値に基づき抽選単位を算出して前記抽選対象者にチャンスコードを付与する抽選単位算出段階を更に備え、該チャンスコードに基づき前記抽選段階において抽選を行うことを特徴とする。
【０００９】
請求項３に記載の発明は、請求項１又は請求項２に記載の抽選処理方法において、前記コンピュータが、前記記録媒体にポイントを記録する期間は所定期間内とされていることを特徴とする。
【００１０】
請求項４に記載の発明は、請求項１乃至請求項３のうち何れか１項に記載の抽選処理方法において、前記コンピュータが、前記抽選段階により抽選された当選者を記憶する当選者記憶段階と、前記当選者記憶段階にて記憶された当選者と前記抽選段階により抽選された当選者とが一致する場合に、該抽選段階にて抽選された当選者の当選を無効にする無効化段階とを更に備えることを特徴とする。
【００１１】
請求項５に記載の発明は、請求項１乃至請求項４のうち何れか１項に記載の抽選処理方法において、前記コンピュータが、当選者数が予め設定された第３の所定値に達するまで繰り返し抽選処理を行うことを特徴とする。
【００１２】
請求項６に記載の発明は、請求項１乃至請求項５のうち何れか１項に記載の抽選処理方法において、前記コンピュータが、前記抽選段階において、前記抽選単位に乱数を発生させ、該抽選単位から任意のデータを抽出することで抽選を行うことを特徴とする。
【００１３】
請求項７に記載の発明は、請求項１乃至請求項６のうち何れか１項に記載の抽選処理方法において、前記コンピュータが、前記抽選段階により当選者とされた対象者の告知方法を抽出し、抽出された告知方法により当人確認を行うことで当選者を確定する当選者確定段階を更に備えることを特徴とする。
【００１４】
請求項８に記載の発明は、請求項１乃至請求項７のうち何れか１項に記載の抽選処理方法において、前記コンピュータが、前記抽選段階により抽選された対象者を出力する出力段階を更に備えることを特徴とする。
【００１５】
請求項９に記載の発明は、請求項２乃至請求項８のうち何れか１項に記載の抽選処理方法において、前記コンピュータが、前記抽選対象者のポイント取得時にレシートに前記チャンスコードの取得の通知を印字する印刷段階を更に備えることを特徴とする。
【００１６】
請求項１０に記載の発明は、コンピュータにて、顧客情報が記録された記録媒体に蓄積されたポイントを基に抽選処理を行う抽選処理プログラムであって、前記コンピュータを、前記記録媒体に蓄積されたポイントが第１の所定値に達した顧客を抽選対象者として記憶装置に登録する対象者登録手段、及び、前記登録された対象者から当選者を抽選する抽選手段として機能させることを特徴とする抽選処理プログラム。
【００１７】
請求項１１に記載の発明は、コンピュータにて、顧客情報が記録された記録媒体に蓄積されたポイントを基に抽選処理を行う抽選処理装置であって、前記記録媒体に蓄積されたポイントが第１の所定値に達した顧客を抽選対象者として記憶装置に登録する対象者登録手段と、前記登録された対象者から当選者を抽選する抽選手段とを備えることを特徴とする。
【００１８】
（作用）
請求項１、１０又は１１に記載の発明によれば、顧客はポイントカード等の記録媒体を用いて商品を購入すると、条件を満たしていれば自動的に抽選対象者として登録され抽選が行われるため、抽選を行うために作業を行う必要がない。このため、抽選対象者に対して確実に漏れなく抽選を行うことができ、顧客の購買意欲を高め、販売を促進することができる。
【００１９】
請求項２に記載の発明によれば、対象者が取得したポイント数に対応して抽選単位が付与されるため、購入金額に応じて当選確率を高くすることができ、顧客の購買意欲を高めることができる。
【００２０】
請求項３に記載の発明によれば、所定期間に蓄積されたポイント数に基づき抽選処理を行うため、抽選を一括して行うことができる。また、抽選対象となる所定期間内の顧客の購買意欲を向上させることができる。
【００２１】
請求項４に記載の発明によれば、当選者の重複を防止することができる。
請求項５に記載の発明によれば、所定の当選者数を得ることができる。
請求項６に記載の発明によれば、各抽選対象者が所有する抽選単位数に関わらず、公平に抽選を行うことができる。
【００２２】
請求項７に記載の発明によれば、抽選の当選者に確実に当選したことを告知することができるとともに、現在の顧客情報を確認することができる。
請求項８に記載の発明によれば、抽選結果が出力されることにより、抽選者を知ることができる。
【００２３】
請求項９に記載の発明によれば、顧客の商品購入時に最新の抽選単位数を知らせることができるため、顧客の購買意欲を向上させることができる。
【００２４】
【発明の実施の形態】
以下、本発明を具体化した一実施形態を、図１〜図８に従って説明する。本実施形態の抽選処理装置は、電化製品、ＯＡ機器等を販売する企業Ａ社が所有する、顧客毎の顧客情報がポイントコードで管理された記録媒体としてのポイントカード３１に、購入期間及び購入金額により蓄積されたポイントを基に、コンピュータを用いて抽選処理を行う抽選処理装置及び抽選処理システムとして説明する。ここで、ポイントカード３１のポイントの加算は、商品の購入に対して付与されるものである。
【００２５】
図１は、本実施形態の抽選処理装置の説明図である。管理サーバ１１は、抽選処理等の各処理を行うためのプログラムを有すると共に、各記憶部に格納されるデータの読出し、書込み等を行う管理コンピュータ１２を有する。管理コンピュータ１２は、専用回線又はイントラネット等から構成されるネットワークＮを介して店舗端末１３と接続される。更に、管理コンピュータ１２は、ネットワークＩを介して顧客端末１６に接続されている。店舗端末１３及び顧客端末１６は、説明の便宜上それぞれ一つのみを図示したが、実際は複数設けられている。
【００２６】
また、管理サーバ１１は、Ａ社が管理するサーバであり、各種情報をネットワークＮを介して店舗端末１３との間で送受信を行うものである。店舗端末１３は、Ａ社の各店舗にそれぞれ設けられたＰＯＳ（Ｐｏｉｎｔ  ｏｆ  ｓａｌｅｓ：  販売時点情報管理）端末であり、Ａ社のポイントカード３１等に関する情報や商品に付されたバーコード等を、読み取り装置１４により読み取るものである。ポイントカード３１には、ポイントカード３１の識別子を変換したバーコードが印字されている。このバーコードを読み取り装置１４にて読み取ることにより、各ポイントカード３１をそれぞれ識別することが可能である。また、管理サーバ１１から送信されるデータに基づき、印刷装置１５は印刷したレシート３２を出力する。
【００２７】
管理サーバ１１は、案内状等の各種情報を、ネットワークＩを介して顧客端末１６と送受信を行う。顧客端末１６は、例えば、パーソナルコンピュータ、携帯電話又はＰＤＡ（Ｐｅｒｓｏｎａｌ  Ｄｉｇｉｔａｌ  Ａｓｓｉｓｔａｎｔ）であって、ネットワークＩにそれぞれ接続できる端末である。更に、顧客端末１６は、管理サーバ１１から受信した情報を表示するためのディスプレイ等の表示部や、ブラウザを備えると共に、キーボードやボタン等の入力手段を備えている。
【００２８】
管理コンピュータ１２は、図示しないＣＰＵ、ＲＡＭ及びＲＯＭ等で構成されており、各種プログラムの実行やデータの処理を行う。また、管理サーバ１１は、顧客情報記憶部２１、累積ポイント情報記憶部２２、記憶装置としての対象者情報記憶部２３及び当選者情報記憶部２４等を有する。これらの各記憶部２１〜２４に記憶されたデータは、管理コンピュータ１２により抽出及び更新等がそれぞれ可能である。
【００２９】
次に、管理サーバ１１の各記憶部２１〜２４のデータ構成を図２〜図５に従って説明する。
顧客情報記憶部２１には、図２に示すように、顧客データ２１ａが、ポイントカード３１毎に格納されている。この顧客データ２１ａは、顧客がポイントカード３１を取得した場合に記憶される。本実施形態では、顧客データ２１ａは予め設定されている。顧客識別子は、ポイントカード３１に個別に割り当てられた識別子である。氏名は、顧客の氏名である。住所は、顧客の住所（案内はがき等の配送先等を含む）である。連絡先は、顧客の連絡先のデータであり、電子メールアドレスや電話番号等である。この顧客データ２１ａには、その他にも、マーケティング等の目的で、顧客の生年月日、性別等の各種情報が格納される。
【００３０】
累積ポイント情報記憶部２２には、図３に示すように、累積ポイントデータ２２ａが、ポイントカード３１毎に格納されている。累積ポイントデータ２２ａは、顧客識別子と累積ポイント数を含み、その他には、いつ、どの店舗で、何を、どのくらい購入したか等の購買動向の情報や、購買によるポイント取得履歴等の各種情報を含む。累積ポイント数は、顧客が商品購入時にポイントカード３１を提示した場合に、商品の購入金額に応じてポイントを累積する。累積ポイント数は、顧客が商品を購入する度に更新される。顧客識別子は、顧客毎に割り振られた識別子であって、顧客データ２１ａの顧客識別子に関連付けられている。なお、本実施形態では、「１ポイント」は「１円」に換算され、累積されたポイントはＡ社の各店舗での商品の購入に使用することができる。
【００３１】
対象者情報記憶部２３には、図４に示すように、対象者データ２３ａが、抽選対象者（顧客）毎に格納されている。この対象者情報記憶部２３には、購入時に所定金額（第１の所定値Ｘ１）以上購入した顧客を対象者として記憶するとともに、該対象者が取得したポイントに対応して算出された抽選単位数のチャンスコードを格納している。チャンスコードは、例えば複数桁の英数字から構成されている。この抽選単位数は、１回の購入金額に応じて算出される。具体的には、その時々に顧客に与えられるポイント数が予め設定された第２の所定値Ｘ２で除算され、その商が抽選単位数とされる。即ち、管理コンピュータ１２は、対象者に第２の所定値Ｘ２毎に１つのチャンスコードを与える（記憶する）。対象者識別子は、対象者即ち顧客毎に割り振られた識別子であって、顧客データ２１ａの顧客識別子に関連付けられている。
【００３２】
例えば、第１の所定値Ｘ１が５０００円、第２の所定値Ｘ２が５０００円とされた場合、顧客Ａの購入金額が６０００円であると、顧客Ａは抽選対象者に登録され、抽選単位数は１口となる。また、顧客Ｂの購入金額が１２０００円であると、顧客Ｂは抽選対象者に登録され、抽選単位数は２口となる。
【００３３】
なお、チャンスコードは、所定対象期間（例えば１日や数日間）の累積ポイント数に基づき、その累積ポイント数を５０００円（第２の所定値Ｘ２）で除算した商の数だけ与えるようにしてもよい。
【００３４】
当選者情報記憶部２４には、図５に示すように、当選者データ２４ａが、抽選対象者（顧客）毎に格納されている。当選者データ２４ａは、抽選が行われた際の当選者の対象者識別子と、当選の等級及び景品等が記録されている。当選者データ２４ａは、予め用意された景品の数（Ｘ３）だけ記録されている。対象者識別子は、対象者即ち顧客毎に割り振られた識別子であって、顧客データ２１ａの顧客識別子に関連付けられている。
【００３５】
また、印刷装置１５により印字されるレシート３２は、図６に示すように、告知欄３２ａが設けられている。この告知欄３２ａには、ポイントカード３１を使用する全顧客に対するメッセージ３２０と、抽選対象期間内におけるメッセージ３２１，３２２，３２３とが印字される。抽選対象期間内において、メッセージ３２１は全顧客に対して印字され、メッセージ３２２は全抽選対象者に対して印字され、メッセージ３２３は複数のチャンスコードを有する抽選対象者に対して印字される。管理コンピュータ１２が、ポイントカード３１のバーコードを読み取って顧客を識別し、対象者識別子に基づいて対象者データ２３ａから対象者の抽選単位数を抽出して送信する。そして、抽選単位数のデータを店舗端末１３が受信して、印刷装置１５によりレシート３２にその内容が印字される。
【００３６】
次に、管理コンピュータ１２が抽選処理を行う手順を、図７及び図８に従って説明する。
先ず、管理コンピュータ１２は、抽選対象期間中は図７に示す告知処理を行う。
【００３７】
Ａ社店舗端末１３は、読み取り装置１４により、顧客のポイントカード３１のバーコードを読み取り、続いて、顧客が購入する商品のバーコードを読み取る。そして、販売員は、会計を実行する旨を店舗端末１３から入力する。店舗端末１３は、各バーコードにより読み取った顧客識別子及び商品識別子を管理サーバ１１に送信する。これを受信した管理サーバ１１の管理コンピュータ１２は、商品識別子に基づいて、図示しない商品単価記憶部から、商品の単価を購入金額として抽出する。
【００３８】
そして、管理コンピュータ１２は、受信した各商品識別子について、以下に示す告知処理を行う。先ず、図７に示すように、管理コンピュータ１２は、購入金額をポイント数として設定し、商品購入に伴う取得ポイント数を累積ポイント情報記憶部２２に記憶する（ステップＳ１）。
【００３９】
そして、商品購入時が所定期間内であるか否かを判定する（ステップＳ２）。商品購入時が所定期間内であれば（ステップＳ２，ＹＥＳ）、そのときの商品購入金額（そのときの取得ポイント数）が第１の所定値Ｘ１以上であるか否かが判定される（ステップＳ３）。
【００４０】
また、商品購入時が所定期間内でなければ（ステップＳ２，ＮＯ）、印刷装置１５によりレシート印字が行われる（ステップＳ２―１）。このとき、図６に示すレシート３２において、告知欄３２ａにメッセージ３２０のみが記載されたものが印字される。
【００４１】
商品購入金額が第１の所定値Ｘ１以上であれば（ステップＳ３，ＹＥＳ）、管理コンピュータ１２は、顧客を抽選の対象者として対象者情報記憶部２３に登録すると共に、このときのポイント数に基づいて抽選単位の算出を行い、その数に対応するチャンスコードを対象者に付与する（ステップＳ４）。具体的には、ポイント数を第２の所定値Ｘ２で除算し、その商を抽選単位数として算出する。なお、このステップＳ４は、対象者登録段階及び抽選単位算出段階に相当する。
【００４２】
なお、商品購入金額が第１の所定値Ｘ１に達しない場合は（ステップＳ３，ＮＯ）、購入者は抽選対象者に該当しない。このため、購入者は対象者情報記憶部２３に登録されない。そして、このとき、レシート３２の告知欄３２ａには、メッセージ３２０，３２１のみが印字される（ステップＳ３―１）。
【００４３】
そして、ステップＳ４において対象者にチャンスコードが付与された後、管理コンピュータ１２は情報を送信し、その情報が店舗端末１３にて受信されて、印刷装置１５によりレシート印字が行われる（ステップＳ５）。このとき、レシート３２の告知欄３２ａには、メッセージ３２０，３２１と、購入者が抽選の対象者に該当する旨を示すメッセージ３２２と、その時点で購入者に付与された抽選単位数を示すメッセージ３２３とが印字される（図６参照）。なお、ステップＳ５は、印刷段階に相当する。
【００４４】
その後、抽選対象期間が終了すると、管理コンピュータ１２は、図８に示す当選者決定処理を行う。この当選者決定処理は、管理コンピュータ１２内の図示しない当選者決定処理プログラムを実行させることにより開始される。
【００４５】
先ず、図８に示すように、管理コンピュータ１２は、対象者情報記憶部２３の対象者データ２３ａから、対象者識別子とチャンスコードを抽出する（ステップＳ１１）。
【００４６】
次に、管理コンピュータ１２は、抽選対象者に対して抽選処理を行う（ステップＳ１２）。そして、記憶された乱数データ１２ａに基づいて、ランダムにて当選コードを発生させ、一致するチャンスコードが付与された対象者を当選者とする。このとき、管理コンピュータ１２は、抽選に当選した対象者の対象者識別子と当選等級等を、当選者データ２４ａとして当選者情報記憶部２４に記憶する。なお、ステップＳ１２は、抽選段階、出力段階及び当選者記憶段階に相当する。
【００４７】
なお、ここで、抽選処理における当選者の決定方法はどのような方法で行ってもよく、例えば、抽選単位数を第４の所定値Ｘ４で除算し、第５の所定値Ｘ５で等差ジャンプする方法で行ってもよい。そうすると、抽選処理を簡易に行うことができると共に、当選者の重複の発生を抑制することができる。
【００４８】
次に、管理コンピュータ１２は、特定の対象者が重複して当選していないか判定を行う（ステップＳ１４）。具体的には、管理コンピュータ１２は、特定の対象者が、当選者情報記憶部２４に当選者データ２４ａとして記憶されているか否かを判定する。このとき、判定される対象者と一致するデータが当選者データ２４ａに含まれていなければ（ステップＳ１４，ＹＥＳ）、この対象者のデータが当選者情報記憶部２４に新たなデータとして加えられる。そして、当選者に告知が行われる（ステップＳ１５）。具体的には、管理コンピュータ１２は、当選者情報記憶部２４から該当する対象者識別子を抽出し、その対象者識別子に基づいて顧客情報記憶部２１から連絡先を抽出して連絡を行う。そして、管理コンピュータ１２は、顧客（当選した対象者）に当選した旨を知らせる内容のメールを作成し、ネットワークＩを介して顧客端末１６に送信する。又は、管理コンピュータ１２は、前記内容の郵送用の情報を作成する。
【００４９】
また、ステップＳ１４において、当選者情報記憶部２４に一致するデータがあれば、対象者は既に当選しており重複して当選することとなる（ステップＳ１４，ＮＯ）。このため、判定が行われた対象者のデータは無効とされ、当選者情報記憶部２４に新たに加えられることはない。なお、ステップＳ１４は無効化段階に相当する。その後、ステップＳ１３の前まで戻り、対象者情報記憶部２３における次の対象者が当選しているか否かの判定が行われる。
【００５０】
こうして、管理コンピュータ１２は、対象者情報記憶部２３に記憶された対象者が当選しているか否かを、当選者情報記憶部２４に基づき当選者の重複を防止しながら、順次判定する。
【００５１】
ステップＳ１５にて当選者に当選した旨を告知した後、当選者からの返答があるか否かの判定が行われる（ステップＳ１６）。そして、返答内容が顧客データ２１ａと一致するか否かにより当人確認が行われ、一致すると確認されれば顧客は当選者として確定される（ステップＳ１７）。なお、ステップＳ１７は当選者確定段階に相当する。当選者が確定すると、管理コンピュータ１２は、該当する対象者（当選者）の住所を顧客データ２１ａから抽出し出力する。なお、ステップＳ１６において当選者から返答があるか否かの判定は、予め設定された期間内とされる。当人確認ができなければ（ステップＳ１６，ＮＯ）、このとき当選した対象者（顧客）の顧客データ２１ａは、顧客情報記憶部２１から削除される（ステップＳ１６―１）。そして、ステップＳ１３の前まで戻り、順次対象者の当選の判定が行われる。
【００５２】
その後、当選者数が予め設定された第３の所定値Ｘ３に到達したか否かが判定され（ステップＳ１８）、第３の所定値Ｘ３に到達していれば（ステップＳ１８，ＹＥＳ）、抽選処理は終了する。第３の所定値Ｘ３に到達していなければ（ステップＳ１８，ＮＯ）、再び対象者データ抽出（ステップＳ１１）からの処理が行われる。このように、第３の所定値Ｘ３に至るまで抽選処理が行われる。
【００５３】
従って、本実施形態によれば、以下のような効果を得ることができる。
（１）本実施形態では、管理コンピュータ１２は、ポイントカード３１に蓄積されたポイントが第１の所定値Ｘ１に達すれば顧客を抽選対象者とし、第２の所定値Ｘ２に基づき抽選単位数を算出してチャンスコードを付与し、対象者とチャンスコードに基づき抽選を行う。このため、顧客はポイントカード３１を用いて商品を購入すると、条件を満たしていれば自動的に抽選対象者として登録され抽選が行われるため、抽選を行うために作業を行う必要がない。このように、顧客が抽選のことを忘れていても自動的に抽選が行われることとなり、抽選対象者に対してより確実に漏れなく抽選を行うことができる。従って、顧客の購買意欲を高めることができ、販売を促進することができる。
【００５４】
（２）本実施形態では、対象者が取得したポイント数に対応して抽選単位が算出され、抽選単位数に対応してチャンスコードが付与されるため、購入金額に応じて当選確率を高くすることができ、顧客の購買意欲を高めることができる。
【００５５】
（３）本実施形態では、ポイントカード３１にポイントが蓄積される期間は所定期間内とされている。このように、所定期間に蓄積されたポイント数に基づき抽選処理を行うため、抽選を一括して行うことができる。また、抽選対象となる所定期間内の顧客の購買意欲を向上させることができる。
【００５６】
（４）本実施形態では、管理コンピュータ１２により抽選される回数を、各対象者につき１回とする。このため、当選者の重複を防止することができる。
（５）本実施形態では、管理コンピュータ１２は、予め設定された当選者数（第３の所定値Ｘ３）に達するまで抽選を行う。このため、所定の当選者数を得ることができる。
【００５７】
（６）本実施形態では、抽選対象者のポイント取得時に、印刷装置１５によりレシート３２にチャンスコード取得の通知が印字される。このため、顧客の商品購入時に最新のチャンスコード、即ち抽選単位数を知らせることができ、顧客の購買意欲を向上させることができる。
【００５８】
（７）本実施形態では、管理コンピュータ１２は、チャンスコードに乱数を発生させて抽選を行う。このため、各抽選対象者が所有する抽選単位数に関わらず、公平に抽選を行うことができる。
【００５９】
（８）本実施形態では、管理コンピュータ１２は、抽選された対象者の告知方法を抽出し、抽出された告知方法により当人確認を行うことで当選者を確定する。このため、抽選の当選者に確実に当選したことを告知することができるとともに、現在の顧客情報を確認することができる。
【００６０】
なお、上記実施形態は以下のような別例に変更して具体化してもよい。
・上記実施形態では、ポイント取得のための支払いは、現金のみならず、クレジットカード等を用いてもよい。そうすることで、顧客はクレジットカードを用いて商品を購入する際も自動的に抽選に参加することができ、利便性が高い。また、顧客は顧客端末１６から購入を行うことができるようにしてもよい。
【００６１】
・本実施形態では、読み取り装置１４はポイントカード３１のバーコードを読み取るものとしたが、読み取り装置１４はバーコード以外、例えば、磁気テープやＩＣコード等を読み取り可能としてもよい。
【００６２】
・本実施形態では、購入金額（購入時の取得ポイント数）が第１の所定値Ｘ１以上である場合に、購入金額を第２の所定値Ｘ２で除算した商を抽選単位数とした。抽選単位数の算出方法はこれに何ら限定されず、例えば、購入金額を四捨五入して抽選単位数の算出を行うようにしてもよい。
【００６３】
・本実施形態では、顧客が抽選対象者とされると、印刷装置１５によりレシート３２に、顧客が抽選対象者に該当する旨と、そのときの抽選単位数が印刷されるものとした。しかし、このとき顧客に抽選対象者に該当する旨及び抽選単位数を告知する方法はどのように行ってもよく、例えば、顧客端末１６の画面に表示されることにより行うようにしてもよい。
【００６４】
・本実施形態では、各対象者が有する抽選単位数に応じてすべての対象者に対して公平に抽選を行うものとしたが、抽選単位数を多く獲得している顧客の当選確率を、抽選単位獲得数の少ない顧客よりも高くなるように設定してもよい。
【００６５】
・本実施形態では、顧客は第１の所定値Ｘ１以上のポイント数を有していれば抽選対象者とされ、第２の所定値Ｘ２毎にチャンスコードが付与されるものとしたが、抽選対象者に付与されるチャンスコードは１口のみであってもよい。
【００６６】
・本実施形態では、ポイントを利用して商品を購入した場合でも、購入金額に応じてポイント数が加算されるものとしたが、ポイント使用時にはポイントが加算されないようにしてもよい。
【００６７】
・本実施形態では、第１及び第２の所定値は固定値としたが、可変としてもよい。例えば、顧客がポイントを取得する時期により、第１及び第２の所定値を変更してもよい。
【００６８】
・本実施形態では、当人確認を行うことで当選者を確定するものとしたが、本人確認がとれなくても当選を確定してもよい。また、顧客データ２１ａから告知方法を抽出するものとしたが、告知方法を所定の方法に限定してもよい。そうすると、データ記憶領域を少なくすることができる。
【００６９】
・本実施形態では、管理コンピュータ１２は、チャンスコードに乱数を発生させ、チャンスコードから任意のデータを抽出することで抽選を行う。しかし、抽選の方法はこれに限定されず、例えば、ポイント取得数の多い対象者と少ない対象者との乱数発生率を変更して抽選を行うようにしてもよい。
【００７０】
・本実施形態では、抽選対象者のポイント取得時に、印刷装置１５により、レシート３２に抽選単位数を印字するものとしたが、レシート３２に抽選単位数を印字しなくてもよい。また、抽選対象者に抽選単位数を知らせるのに、抽選対象期間が終了した時点で、顧客データ２１ａにある連絡先を抽出し、連絡先に抽選単位数を知らせる連絡をするようにしてもよい。
【００７１】
・本実施形態では、第３の所定値Ｘ３に達するまで抽選を行うものとしたが、抽選をいつまで行うかは他の手段により決定してもよい。例えば、抽選当選による景品の合計金額が所定の値を超えたら、抽選を終了するようにしてもよい。
【００７２】
・本実施形態では、ポイントカードにポイントが蓄積される期間は所定期間内としたが、所定期間に限定しなくてもよい。例えば、ポイントカードに蓄積されたポイント数すべてを対象としてもよい。
【００７３】
・本実施形態では、ポイントカード３１の取得者（顧客）に対して自動的に抽選が行われる抽選処理について説明したが、抽選が行われる態様は、上記実施形態に何ら限定されない。例えば、顧客情報記憶部２１の顧客データ２１ａに基づき、抽選の対象者を限定してもよい。また、当選に等級を設けて複数の種類の景品が贈呈されるものとし、顧客データ２１ａに顧客の希望景品を記憶させ、景品のカテゴリー毎に抽選を行うようにしてもよい。
【００７４】
・本実施形態では、レシート３２には顧客が獲得した抽選単位数が印字されるものとしたが、他の内容が印字されるようにしてもよい。例えば、顧客の獲得ポイント数が第１の所定値Ｘ１に達していない場合に、どれだけのポイント数が加算されれば登録される旨の内容がレシート３２に印字されるようにしてもよい。
【００７５】
次に、上記実施形態及び別例から把握できる請求項以外の技術的思想について追記する。
（イ）請求項１０に記載の抽選処理プログラムにおいて、前記コンピュータを、更に、前記記録媒体に蓄積されたポイントから第２の所定値に基づき抽選単位を算出して前記抽選対象者にチャンスコードを付与する抽選単位算出手段として機能させると共に、前記抽選手段において前記チャンスコードに基づき抽選を行わせることを特徴とする抽選処理プログラム。
【００７６】
（ロ）請求項１０又は上記（イ）に記載の抽選処理プログラムにおいて、前記記録媒体にポイントが蓄積される期間は所定期間内とされていることを特徴とする抽選処理プログラム。
【００７７】
（ハ）請求項１０、上記（イ）又は（ロ）に記載の抽選処理プログラムにおいて、前記コンピュータを、更に、前記抽選手段により抽選された当選者を記憶する当選者記憶手段、及び前記当選者記憶手段にて記憶された当選者と前記抽選手段により抽選された当選者とが一致する場合に該抽選手段により抽選された当選者の当選を無効にする無効化手段として機能させることを特徴とする抽選処理プログラム。
【００７８】
（ニ）請求項１０、上記（イ）〜（ハ）に記載の抽選処理プログラムにおいて、前記抽選手段において、当選者数が予め設定された第３の所定値に達するまで繰り返し抽選を行うことを特徴とする抽選処理プログラム。
【００７９】
（ホ）請求項１０、上記（イ）〜（ニ）に記載の抽選処理プログラムにおいて、前記抽選手段において、前記抽選単位に乱数を発生させ、該抽選単位から任意のデータを抽出することで抽選を行うことを特徴とする抽選処理プログラム。
【００８０】
（ヘ）請求項１０、上記（イ）〜（ホ）に記載の抽選処理プログラムにおいて、前記コンピュータを、更に、前記抽選処理手段により当選者とされた対象者の告知方法を抽出し、抽出された告知方法により当人確認を行うことで当選者を確定する当選者確定手段として機能させることを特徴とする抽選処理プログラム。
【００８１】
（ト）請求項１０、上記（イ）〜（ヘ）に記載の抽選処理プログラムにおいて、前記コンピュータを、更に、前記抽選手段により抽選された対象者を出力する出力手段として機能させることを特徴とする抽選処理プログラム。
【００８２】
（チ）上記（ロ）〜（ト）に記載の抽選処理プログラムにおいて、前記コンピュータを、更に、前記抽選対象者のポイント取得時に、レシートに前記チャンスコードの取得の通知を印字する印刷手段として機能させることを特徴とする抽選処理プログラム。
【００８３】
（リ）請求項１１に記載の抽選処理装置において、前記記録媒体に蓄積されたポイントから第２の所定値に基づき抽選単位を算出して前記抽選対象者にチャンスコードを付与する抽選単位算出手段を備え、前記抽選手段において前記チャンスコードに基づき抽選を行うことを特徴とする抽選処理装置。
【００８４】
（ヌ）請求項１１又は上記（リ）に記載の抽選処理装置において、前記記録媒体にポイントが蓄積される期間は所定期間内とされていることを特徴とする抽選処理装置。
【００８５】
（ル）請求項１１、上記（リ）又は（ヌ）に記載の抽選処理装置において、前記抽選手段により抽選された当選者を記憶する当選者記憶手段と、前記当選者記憶手段にて記憶された当選者と前記抽選手段により抽選された当選者とが一致する場合に該抽選手段により抽選された当選者の当選を無効にする無効化手段とを有することを特徴とする抽選処理装置。
【００８６】
（ヲ）請求項１１、上記（リ）〜（ル）に記載の抽選処理装置において、前記抽選手段において、当選者数が予め設定された第３の所定値に達するまで繰り返し抽選を行うことを特徴とする抽選処理装置。
【００８７】
（ワ）請求項１１、上記（リ）〜（ヲ）に記載の抽選処理装置において、前記抽選手段において、前記抽選単位に乱数を発生させ、該抽選単位から任意のデータを抽出することで抽選を行うことを特徴とする抽選処理装置。
【００８８】
（カ）請求項１１、上記（リ）〜（ワ）に記載の抽選処理装置において、前記抽選処理手段により当選者とされた対象者の告知方法を抽出し、抽出された告知方法により当人確認を行うことで当選者を確定する当選者確定手段を有することを特徴とする抽選処理装置。
【００８９】
（ヨ）請求項１１、上記（リ）〜（カ）に記載の抽選処理装置において、前記抽選手段により抽選された対象者を出力する出力手段を有することを特徴とする抽選処理装置。
【００９０】
（タ）上記（リ）〜（ワ）に記載の抽選処理装置において、前記抽選対象者のポイント取得時に、レシートに前記チャンスコードの取得の通知を印字する印刷手段を有することを特徴とする抽選処理装置。
【００９１】
【発明の効果】
以上詳述したように、請求項１乃至請求項１１に記載の抽選処理方法、抽選処理プログラム及び抽選処理装置によれば、抽選対象者に対してより確実に漏れなく抽選を行うことができる。
【図面の簡単な説明】
【図１】本発明の一実施形態のシステム概略図。
【図２】顧客情報記憶部に記憶されたデータの説明図。
【図３】累積ポイント情報記憶部に記憶されたデータの説明図。
【図４】対象者情報記憶部に記憶されたデータの説明図。
【図５】当選者情報記憶部に記憶されたデータの説明図。
【図６】本実施形態における告知欄付きレシートの説明図。
【図７】本実施形態の処理手順の説明図。
【図８】本実施形態の処理手順の説明図。
【符号の説明】
１１…管理サーバ（抽選処理プログラム、抽選処理装置）、１２…管理コンピュータ（対象者登録手段、抽選手段）、２３…対象者情報記憶部（記憶装置）、３１…ポイントカード（記録媒体）、３２…レシート、Ｎ…ネットワーク、Ｘ１…第１の所定値、Ｘ２…第２の所定値、Ｘ３…第３の所定値。
【図１】
2005000433.tif 000003
【図２】
2005000433.tif 000004
【図３】
2005000433.tif 000005
【図４】
2005000433.tif 000006
【図５】
2005000433.tif 000007
【図６】
2005000433.tif 000008
【図７】
2005000433.tif 000009
【図８】
2005000433.tif 000010